(57)【要約】【課題】浴槽から洗い場に溢れた洗い場の湯が出入口部から浴室ユニットの外に溢れ出にくい浴室ユニットを提供する。【解決手段】浴室ユニット１０は、第１の側壁６１、第１の側壁６１と対向する第２の側壁６２、第１の側壁６１の一方の端部と第２の側壁６２の一方の端部とを接続する第３の側壁６３、および、第１の側壁６１の他方の端部と第２の側壁６２の他方の端部とを接続する第４の側壁６４を備える浴槽６０と、第１の側壁６１と隣接する第１の壁部５１と、第２の側壁６２と隣接する洗い場４０と、第３の側壁６３と隣接する第２の壁部５２と、第４の側壁６４と隣接する第３の壁部５３と、洗い場４０のうちの第２の側壁６２と隣接する縁部４０Ａと反対側の縁部４０Ｂに設置されている出入口部５４とを備える。洗い場４０には、複数の排水口４１，４２が形成されている。【選択図】図１
2018003480.tif 000002
【特許請求の範囲】
【請求項１】
第１の側壁、前記第１の側壁と対向する第２の側壁、前記第１の側壁の一方の端部と前記第２の側壁の一方の端部とを接続する第３の側壁、および、前記第１の側壁の他方の端部と前記第２の側壁の他方の端部とを接続する第４の側壁を備える浴槽と、
前記第１の側壁と隣接する第１の壁部と、
前記第２の側壁と隣接する洗い場と、
前記第３の側壁と隣接する第２の壁部と、
前記第４の側壁と隣接する第３の壁部と、
前記洗い場のうちの前記第２の側壁と隣接する縁部と反対側の縁部に設置されている出入口部とを備え、
前記洗い場には、複数の排水口が形成されている
浴室ユニット。
【請求項２】
前記第１の側壁および前記第２の側壁は、前記浴槽の平面視における長手方向に沿う
請求項１に記載の浴室ユニット。
【請求項３】
前記複数の排水口は、第１の排水口および第２の排水口を備え、
前記第１の排水口は、前記洗い場のうちの前記第２の側壁寄りかつ前記第２の側壁の一方の端部寄りに形成され、
前記第２の排水口は、前記洗い場のうちの前記第２の側壁寄りかつ前記第２の側壁の他方の端部寄りに形成されている
請求項１または２に記載の浴室ユニット。
【請求項４】
前記洗い場の表面は、前記出入口部から前記複数の排水口のうちの１つに向かうほど低くなる勾配を有する
請求項１〜３のいずれか一項に記載の浴室ユニット。
【請求項５】
前記出入口部が設置されている前記洗い場の前記縁部は、前記第１の排水口および前記第２の排水口の一方に近い第１の端部、および、前記第１の排水口および前記第２の排水口の一方から遠い第２の端部を有し、
前記洗い場の表面は、前記第２の端部から前記第１の排水口および前記第２の排水口の一方に向かうほど低くなる勾配を有する
請求項３に記載の浴室ユニット。
【発明の詳細な説明】
【技術分野】
【０００１】
本発明は、排水口が設けられている床パンを備える浴室ユニットに関する。
【背景技術】
【０００２】
従来より床パンを備える浴室ユニットが知られている。従来の浴室ユニットの一例は、特許文献１の浴室ユニットである。この浴室ユニットは床パンとしての防水パンを備えている。特許文献１の防水パンは浴槽と隣接する洗い場を備える。浴槽の周壁部は、第１の側壁および第１の側壁と対向する第２の側壁を備える。洗い場は、第２の側壁と隣接する第１の縁部および第１の縁部とは反対側の第２の縁部を備える。
【先行技術文献】
【特許文献】
【０００３】
【特許文献１】特開２０００−８１２２２号公報
【発明の概要】
【発明が解決しようとする課題】
【０００４】
上記浴槽の洗い場側の周壁部である第２の側壁から溢れ出た湯は、洗い場の第２の縁部に向かって流れる。このため、第２の縁部に出入口部を形成した場合、湯が溢れ出た勢いによって湯が出入口部の下枠を乗り越え、浴室ユニットの外に溢れ出すおそれがある。
【課題を解決するための手段】
【０００５】
本発明に関する浴室ユニットの一形態は、第１の側壁、前記第１の側壁と対向する第２の側壁、前記第１の側壁の一方の端部と前記第２の側壁の一方の端部とを接続する第３の側壁、および、前記第１の側壁の他方の端部と前記第２の側壁の他方の端部とを接続する第４の側壁を備える浴槽と、前記第１の側壁と隣接する第１の壁部と、前記第２の側壁と隣接する洗い場と、前記第３の側壁と隣接する第２の壁部と、前記第４の側壁と隣接する第３の壁部と、前記洗い場のうちの前記第２の側壁と隣接する縁部と反対側の縁部に設置されている出入口部とを備え、前記洗い場には、複数の排水口が形成されている。
【発明の効果】
【０００６】
上記浴室ユニットは、浴槽から洗い場に溢れた湯が出入口部から浴室ユニットの外に溢れ出にくい。
【図面の簡単な説明】
【０００７】
【図１】実施の形態の浴室ユニットの斜視図である。
【図２】図１の床パンの平面図である。
【図３】図１の出入口部の浴室側の斜視図である。
【図４】図３の４−４線の断面図である。
【図５】図２の出入口部の下枠の斜視図である。
【図６】図１の排水部の斜視図である。
【図７】変形例の床パンの平面図である。
【図８】変形例の出入口部の断面図である。
【図９】変形例の出入口部の断面図である。
【発明を実施するための形態】
【０００８】
（浴室ユニットが取り得る形態の一例）
〔１〕本発明に従う浴室ユニット１０の一形態は、第１の側壁６１、前記第１の側壁６１と対向する第２の側壁６２、前記第１の側壁６１の一方の端部と前記第２の側壁６２の一方の端部とを接続する第３の側壁６３、および、前記第１の側壁６１の他方の端部と前記第２の側壁６２の他方の端部とを接続する第４の側壁６４を備える浴槽６０と、前記第１の側壁６１と隣接する第１の壁部５１と、前記第２の側壁６２と隣接する洗い場４０と、前記第３の側壁６３と隣接する第２の壁部５２と、前記第４の側壁６４と隣接する第３の壁部５３と、前記洗い場４０のうちの前記第２の側壁６２と隣接する縁部４０Ａと反対側の縁部４０Ｂに設置されている出入口部５４とを備え、前記洗い場４０には、複数の排水口４１，４２が形成されている。
【０００９】
浴槽６０の三方が壁部に囲まれる浴室ユニットにおいては洗い場の床面積が狭いため、浴槽から溢れ出た湯の排出が遅いと出入口部から湯が溢れやすくなる。上記浴室ユニットによれば、洗い場に複数の排水口が形成されているため、洗い場の湯が排水口から速やかに排出される。このため、洗い場の湯が洗い場のうちの浴槽設置部に連結されている縁部と反対側の縁部に設置されている出入口部から浴室ユニット１０の外側の脱衣室側に溢れ出にくい。
【００１０】
〔２〕前記浴室ユニット１０の一例によれば、前記第１の側壁６１および前記第２の側壁６２は、前記浴槽６０の平面視における長手方向に沿う。
上記浴室ユニットによれば、出入口部を浴槽の長手方向に沿う部分に沿わせることができる。このため、出入口部が浴槽の短手方向に沿う場合と比較して、出入口部の幅を広げることができる。
【００１１】
〔３〕前記浴室ユニット１０の一例によれば、前記複数の排水口４１，４２は、第１の排水口４１および第２の排水口４２を備え、前記第１の排水口４１は、前記洗い場４０のうちの前記第２の側壁６２寄りかつ前記第２の側壁６２の一方の端部寄りに形成され、前記第２の排水口４２は、前記洗い場４０のうちの前記第２の側壁６２寄りかつ前記第２の側壁６２の他方の端部寄りに形成される。
上記浴室ユニットによれば、第１の排水口および第２の排水口が出入口部から浴槽の第２の側壁寄りに形成されているため、浴槽から溢れた水が出入口部に達しにくい。
【００１２】
〔４〕前記浴室ユニット１０の一例によれば、前記洗い場４０の表面は、前記出入口部５４から前記複数の排水口４１，４２のうちの１つに向かうほど低くなる勾配を有する。
上記浴室ユニットによれば、洗い場の表面は複数の排水口のうちの１つに向かうほど低くなるため、全ての排水口に向かうほど低くなるような勾配を有する場合と比較して洗い場の表面形状を簡単な形状にすることができる。
【００１３】
〔５〕前記浴室ユニット１０の一例によれば、前記出入口部５４が設置されている前記洗い場４０の前記縁部４０Ｂは、前記第１の排水口４１および前記第２の排水口４２の一方に近い第１の端部４０Ｘ、および、前記第１の排水口４１および前記第２の排水口４２の一方から遠い第２の端部４０Ｙを有し、前記洗い場４０の表面は、前記第２の端部４０Ｙから前記第１の排水口４１および前記第２の排水口４２の一方に向かうほど低くなる勾配を有する。
【００１４】
上記浴室ユニットによれば、洗い場の表面において勾配の設けられている第２の端部から第１の排水口および第２の排水口の一方までの距離が長くなる。このため、勾配を緩やかにすることができる。
【００１５】
（実施の形態）
図１に示されるとおり、浴室ユニット１０は、床パン２０、第１の壁部５１、第２の壁部５２、第３の壁部５３、出入口部５４、浴槽６０、および、排水部７０（図３参照）を備える。床パン２０の下方には、床パン２０を支持する架台（図示略）および架台に取り付けられて床パン２０の床面からの高さを調整可能な支持脚１２が設けられている。
【００１６】
図２に示されるとおり、床パン２０は、長方形状を有する。床パン２０は、浴槽設置部３０および洗い場４０を備える。床パン２０の大きさは、例えば長方形状の長辺が１．６メートル、かつ、短辺が１．２メートルである。この場合、浴槽設置部３０の大きさは、例えば長方形状の長辺が１．２メートル、かつ、長方形状の短辺が０．８メートルである。また、洗い場４０の大きさは、例えば長方形状の長辺が１．２メートル、かつ、長方形状の短辺が０．８メートルである。つまり、浴槽設置部３０と洗い場４０の大きさはほぼ等しい。
【００１７】
浴槽設置部３０は、長方形状を有する。浴槽設置部３０は、第１の縁部３０Ａ、第２の縁部３０Ｂ、第３の縁部３０Ｃ、および、第４の縁部３０Ｄを備える。第１の縁部３０Ａおよび第２の縁部３０Ｂは、浴槽設置部３０の長方形状の長辺に相当する。第３の縁部３０Ｃおよび第４の縁部３０Ｄは、浴槽設置部３０の長方形状の短辺に相当する。
【００１８】
洗い場４０は、長方形状を有する。洗い場４０は、第１の縁部４０Ａ、第２の縁部４０Ｂ、第３の縁部４０Ｃ、および、第４の縁部４０Ｄを備える。第１の縁部４０Ａおよび第２の縁部４０Ｂは、洗い場４０の長方形状の長辺に相当する。第３の縁部４０Ｃおよび第４の縁部４０Ｄは、洗い場４０の長方形状の短辺に相当する。洗い場４０の第１の縁部４０Ａは、浴槽設置部３０の第２の縁部３０Ｂに連結されている。第１の縁部４０Ａは、「洗い場４０のうちの第２の側壁６２と隣接する縁部」に相当する。第２の縁部４０Ｂは、「洗い場４０のうちの第２の側壁６２と隣接する縁部４０Ａと反対側の縁部」に相当する。洗い場４０の第１の縁部４０Ａおよび第２の縁部４０Ｂの長さと、浴槽設置部３０の第１の縁部３０Ａおよび第２の縁部３０Ｂの長さは実質的に等しい。浴槽設置部３０の第１の縁部３０Ａおよび洗い場４０の第２の縁部４０Ｂは、床パン２０の長方形状の短辺を構成する。浴槽設置部３０の第３の縁部３０Ｃおよび洗い場４０の第３の縁部４０Ｃは、床パン２０の長方形状の長辺の一方を構成する。浴槽設置部３０の第４の縁部３０Ｄおよび洗い場４０の第４の縁部４０Ｄは、床パン２０の長方形状の長辺の他方を構成する。
【００１９】
第１の壁部５１は、浴槽設置部３０の第１の縁部３０Ａに設置されている。第２の壁部５２は、浴槽設置部３０の第３の縁部３０Ｃおよび洗い場４０の第３の縁部４０Ｃに設置されている。第３の壁部５３は、浴槽設置部３０の第４の縁部３０Ｄおよび洗い場４０の第４の縁部４０Ｄに設置されている。すなわち、浴室ユニット１０は、三方が壁部５１，５２，５３に囲まれ、洗い場４０を挟んで浴槽６０と対向する部分に出入口部５４が設置されている。
【００２０】
図３に示されるとおり、出入口部５４は、洗い場４０の第２の縁部４０Ｂに設置されている。また、出入口部５４は、脱衣室の床Ｆ（図５参照）の端部と洗い場４０の第２の縁部４０Ｂとの間に配置されている。図１に示されるとおり、出入口部５４は、枠５４Ａおよび戸５４Ｃを備える。戸５４Ｃは、枠５４Ａに嵌め込まれる。枠５４Ａのうちの框を構成する部分には、下枠５４Ｂが配置されている。戸５４Ｃは、スライド式の引き戸である。戸５４Ｃは、戸５４Ｃの幅方向に並べられた３枚の板部材５４Ｄを有する。図４に示されるとおり、一端側の板部材５４Ｄを他端側の板部材５４Ｄに向けて移動することによって戸５４Ｃが開閉される。中央の板部材５４Ｄは、一端側の板部材５４Ｄとともに他端側の板部材５４Ｄに対して移動する。
【００２１】
図５に示されるとおり、下枠５４Ｂは、洗い場側部分５４Ｘ、外側部分５４Ｙ、および、レール部分５４Ｌを備える。下枠５４Ｂは、洗い場４０の第２の縁部４０Ｂおよび床Ｆに着脱可能に取り付けられる。洗い場側部分５４Ｘは、洗い場４０の第２の縁部４０Ｂに取り付けられる。外側部分５４Ｙは、脱衣室の床Ｆに取り付けられる。レール部分５４Ｌは、洗い場側部分５４Ｘと外側部分５４Ｙとの間に設けられる。板部材５４Ｄは、レール部分５４Ｌに沿って移動する。下枠５４Ｂの浴槽設置部３０からの高さは、車椅子等が下枠５４Ｂの上を通過しやすいように低く、かつ、パッキン等の弾性部材が取り付けられていないことが好ましい。下枠５４Ｂの上端部と洗い場４０の第２の縁部４０Ｂおよび脱衣室の床Ｆの端部との高さの差Ｄは、例えば３ミリメートルである。洗い場側部分５４Ｘは勾配を有さない。また、洗い場側部分５４Ｘの高さは、洗い場４０の表面の高さと略一致する。このため、下枠５４Ｂと洗い場４０との間に段差が形成されない。外側部分５４Ｙの床Ｆ側の端部の高さは、床Ｆの高さよりも高い。このため、外側部分５４Ｙと床Ｆとの間に段差が形成される。外側部分５４Ｙの床Ｆ側の端部の高さは、レール部分５４Ｌの上端部の高さと略一致する。
【００２２】
下枠５４Ｂのレール部分５４Ｌの下方には、空間５４Ｓが形成されている。レール部分５４Ｌの上方には、空間５４Ｓと連通する貫通孔５４Ｔが形成されている。空間５４Ｓの下方には、開口５４Ｐが形成されている。開口５４Ｐには、出入口部側排水管５５が接続されている。出入口部側排水管５５は、排水部７０（図６参照）に接続される。レール部分５４Ｌに流れ込んだ水は、貫通孔５４Ｔによって空間５４Ｓに流れ込み、排水部７０に排水される。
【００２３】
浴槽６０は、長方形状を有する。浴槽６０は、平面視において長手方向および短手方向を有する。浴槽６０は、第１の側壁６１、第２の側壁６２、第３の側壁６３、第４の側壁６４、および、底壁６５を備える。第１の側壁６１および第２の側壁６２は、浴槽６０の長手方向に沿う。第３の側壁６３および第４の側壁６４は、浴槽６０の短手方向に沿う。
【００２４】
浴槽６０は、第１の側壁６１が第１の壁部５１と隣接するように浴槽設置部３０に設置されている。第１の側壁６１は、浴槽設置部３０の第１の縁部３０Ａと隣接する。第２の側壁６２は、第１の側壁６１と対向する。第２の側壁６２は、洗い場４０と隣接する。第３の側壁６３は、第１の側壁６１の一方の端部と第２の側壁６２の一方の端部とを接続する。第３の側壁６３は、第２の壁部５２と隣接する。第４の側壁６４は、第１の側壁６１の他方の端部と第２の側壁６２の他方の端部とを接続する。第４の側壁６４は、第３の壁部５３と隣接する。第２の側壁６２は、洗い場４０側にスカート６６が取り付けられている。
【００２５】
図２に示されるとおり、浴槽設置部３０には、第１の浴槽側排水口３１および第２の浴槽側排水口３２が形成されている。第１の浴槽側排水口３１は、浴槽設置部３０のうちの第２の縁部３０Ｂかつ第３の縁部３０Ｃ寄りに形成されている。第２の浴槽側排水口３２は、浴槽設置部３０のうちの第２の縁部３０Ｂ寄りかつ第４の縁部３０Ｄ寄りに形成されている。図１に示す浴槽６０の底壁６５には、図示しない複数の排水口が形成されている。浴槽６０の排水口は、それぞれ浴槽側排水口３１，３２と対応する位置に形成されている。
【００２６】
洗い場４０には、第１の排水口４１および第２の排水口４２が形成されている。第１の排水口４１は、洗い場４０のうちの第２の側壁６２寄り、かつ、第２の側壁６２の長手方向の一方の端部寄り（第３の縁部４０Ｃ寄り）に形成されている。第１の排水口４１は、第２の側壁６２およびスカート６６を挟んで第１の浴槽側排水口３１と対応する位置に配置されている。第２の排水口４２は、洗い場４０のうちの第２の側壁６２寄り、かつ、第２の側壁６２の長手方向の他方の端部寄り（第４の縁部４０Ｄ寄り）に形成されている。第２の排水口４２は、第２の側壁６２およびスカート６６を挟んで第２の浴槽側排水口３２と対応する位置に配置されている。
【００２７】
図１に示されるとおり、平面視において第１の排水口４１と第３の縁部４０Ｃとの間に支持脚１２の１つが配置されている。また、図示しないが、平面視において第２の排水口４２と第４の縁部４０Ｄとの間に支持脚１２の１つが配置されている。すなわち、第１の排水口４１および第２の排水口４２の付近にそれぞれ支持脚１２が設けられている。このため、第１の排水口４１および第２の排水口４２を介して、第１の排水口４１および第２の排水口４２の付近に設けられている支持脚１２の高さを調整することができる。
【００２８】
図２に示されるとおり、第１の排水口４１から第１の縁部４０Ａまでの距離（以下、「第１の距離ＬＡ１」）は、第１の排水口４１から出入口部５４までの距離（以下、「第２の距離ＬＡ２」）より短い。第１の距離ＬＡ１は、第１の排水口４１から第２の壁部５２までの距離（以下、「第３の距離ＬＡ３」）より短い。第２の距離ＬＡ２は、第１の排水口４１から第２の排水口４２までの距離（以下、「排水口間距離ＬＣ」）と実質的に等しい。
【００２９】
第２の排水口４２から第１の縁部４０Ａまでの距離（以下、「第４の距離ＬＢ１」）は、第２の排水口４２から出入口部５４までの距離（以下、「第５の距離ＬＢ２」）より短い。第４の距離ＬＢ１は、第２の排水口４２から第３の壁部５３までの距離（以下、「第６の距離ＬＢ３」）より短い。第５の距離ＬＢ２は、排水口間距離ＬＣと実質的に等しい。第１の距離ＬＡ１は、第４の距離ＬＢ１と実質的に等しい。第２の距離ＬＡ２は、第５の距離ＬＢ２と実質的に等しい。第３の距離ＬＡ３は、第６の距離ＬＢ３と実質的に等しい。
【００３０】
洗い場４０の表面は、出入口部５４から複数の排水口４１，４２のうちの１つに向かうほど低くなる勾配を有する。図２の一点鎖線ＲＡ１は、洗い場４０の表面の第１の勾配を示す。図２の一点鎖線ＲＡ２は、洗い場４０の表面の第２の勾配を示す。出入口部５４が設置されている洗い場４０の第２の縁部４０Ｂは、第２の排水口４２から遠い第１の端部４０Ｘ、および、第２の排水口４２から遠い第２の端部４０Ｙを有する。第１の勾配は、一点鎖線ＲＡ１に示されるとおり、第２の端部４０Ｙから第２の排水口４２に向かうほど低くなる。第２の勾配は、一点鎖線ＲＡ２に示されるとおり、第２の端部４０Ｙから第２の排水口４２に向かうほど低くなる。第１の勾配は、１／５０以下であることが好ましい。第２の勾配は、１／５０以下であることが好ましい。第２の排水口４２は、第１の排水口４１よりも低い位置に形成されている。
【００３１】
図３に示されるとおり、排水部７０は、第１の支流管７１、第２の支流管７２、および、合流管７３を備える。第１の支流管７１、第２の支流管７２、および、合流管７３は、床パン２０と床面との間の空間に配置されている。第１の支流管７１は、第１の浴槽側排水口３１および第１の排水口４１と連通する。第１の支流管７１と第１の浴槽側排水口３１との間には第１の排水トラップ７１Ａが配置されている。第１の支流管７１と第１の排水口４１との間には第２の排水トラップ７１Ｂが配置されている。第２の支流管７２は、第２の浴槽側排水口３２および第２の排水口４２と連通する。第２の支流管７２と第２の浴槽側排水口３２との間には第３の排水トラップ７２Ａが配置されている。第２の支流管７２と第２の排水口４２との間には第４の排水トラップ７２Ｂが配置されている。合流管７３は、第１の支流管７１の第２の排水トラップ７１Ｂよりも下流側の部分と、第２の支流管７２の第４の排水トラップ７２Ｂよりも下流側の部分とを接続して、排水を浴室ユニット１０の外部に排出する。
図１および図５を参照して、浴室ユニット１０の作用および効果を説明する。
【００３２】
浴室ユニット１０は、浴槽６０の三方が壁部５１，５２，５３に囲まれており、洗い場４０の床面積が狭い。また、浴槽６０の第３の側壁６３および第４の側壁６４は壁部５２，５３に隣接しているため、浴槽６０から溢れた湯は出入口部５４に向かう。浴室ユニット１０によれば、洗い場４０に複数の排水口４１，４２が形成されているため、洗い場４０の湯が排水口４１，４２から速やかに排出される。また、洗い場４０の湯が出入口部５４に達しにくいため、洗い場４０の浴槽６０側の端部と脱衣室側の床Ｆの端部の高低差を低くすることができ、かつ、出入口部５４の下枠５４Ｂの高さを洗い場４０に対しても脱衣室の床Ｆに対しても低くすることができる。このため、下枠５４Ｂにパッキン等の弾性部材が取り付けられていなくても浴槽６０から洗い場４０に溢れた湯が出入口部５４から浴室ユニット１０の外側の脱衣室側に流れることはない。
【００３３】
（変形例）
上記実施の形態に関する説明は、本発明に従う浴室ユニットが取り得る形態の例示であり、その形態を制限することを意図していない。本発明に従う浴室ユニットは、実施の形態以外に例えば以下に示される実施の形態の変形例、および、相互に矛盾しない少なくとも２つの変形例が組み合わせられた形態を取り得る。
【００３４】
・洗い場４０の構成は、任意に変更可能である。例えば、図７の洗い場４０の表面は、出入口部５４から第１の排水口４１および第２の排水口４２に向かうほど低くなる勾配を有する。第１の排水口４１および第２の排水口４２は、同じ高さ位置に形成されている。図７の一点鎖線ＲＢ１は、洗い場４０の表面の第１の勾配を示す。図７の一点鎖線ＲＢ２は、洗い場４０の表面の第２の勾配を示す。図７の一点鎖線ＲＣ１は、洗い場４０の表面の第３の勾配を示す。図７の一点鎖線ＲＣ２は、洗い場４０の表面の第４の勾配を示す。第１の勾配は、一点鎖線ＲＢ１に示されるとおり、第２の縁部４０Ｂの第２の端部４０Ｙから第１の排水口４１に向かうほど低くなる。第２の勾配は、一点鎖線ＲＢ２に示されるとおり、洗い場４０の中心Ｃから第１の排水口４１に向かうほど低くなる。第３の勾配は、一点鎖線ＲＣ１に示されるとおり、第２の縁部４０Ｂの第１の端部４０Ｘから第２の排水口４２に向かうほど低くなる。第４の勾配は、一点鎖線ＲＣ２に示されるとおり、洗い場４０の中心Ｃから第２の排水口４２に向かうほど低くなる。
【００３５】
・第１の排水口４１および第２の排水口４２の構成は任意に変更可能である。例えば、第１の排水口４１を洗い場４０の中央寄り、または、第２の縁部４０Ｂ寄りに設けることもできる。また、第１の排水口４１を洗い場４０の中央寄り、または、第２の縁部４０Ｂ寄りに設けることもできる。
【００３６】
・洗い場４０の構成は、任意に変更可能である。例えば、洗い場４０に３つ以上の排水口を形成することもできる。例えば、洗い場４０の第２の縁部４０Ｂ寄りに第３の排水口を形成する。この場合、各排水口に排水トラップを設けることが好ましい。
【００３７】
・浴槽設置部３０および排水部７０の構成は、任意に変更可能である。例えば、第１の浴槽側排水口３１および第２の浴槽側排水口３２の一方を省略することもできる。また、第１の浴槽側排水口３１および第２の浴槽側排水口３２を第１の支流管７１および第２の支流管７２とは別の排水管に連通することもできる。
【００３８】
・排水部７０の構成は、任意に変更可能である。例えば、第１の排水トラップ７１Ａおよび第２の排水トラップ７１Ｂを１つの排水トラップにすることもできる。また、第３の排水トラップ７２Ａおよび第４の排水トラップ７２Ｂを１つの排水トラップにすることもできる。排水トラップの数を減らす場合には、排水トラップを大きくすることによって浴室ユニット１０の排水能力の低下を抑制することもできる。
【００３９】
・出入口部５４の構成は、任意に変更可能である。例えば、図８に示すように、２枚の板部材１５４Ｄを有する戸１５４Ｃが設けられる出入口部１５４に変更することもできる。出入口部５４は、第２の壁部５２側に２枚の板部材１５４Ｄを配置可能な戸袋１５４Ａを備える。
【００４０】
・上記変形例において、第２の端部４０Ｙ側に戸袋１５４Ａを設置することもできる。この場合、第１の端部４０Ｘから第１の排水口４１に向かうほど低くなる勾配を付し、第１の排水口４１が第２の排水口４２よりも低い位置に形成されるようにする。つまり、左右勝手違いの場合には、洗い場４０の勾配や排水口４１，４２の高さを図２と左右で反転させるようにする。
【００４１】
・出入口部５４の構成は、任意に変更可能である。例えば、図９に示すように２枚の板部材２５４Ｄをヒンジ２５５で接続した戸２５４Ｃが設けられる出入口部２５４に変更することもできる。板部材２５４Ｄの一方は、外枠２５４Ａとヒンジ（図示略）によって接続される。２枚の板部材２５４Ｄが折りたたまれることによって戸２５４Ｃが開閉する。
【符号の説明】
【００４２】
１０  ：浴室ユニット
４０  ：洗い場
４０Ａ：第１の縁部（第２の側壁と隣接する縁部）
４０Ｂ：第２の縁部（第２の側壁と隣接する縁部と反対側の縁部）
４１  ：第１の排水口（排水口）
４２  ：第２の排水口（排水口）
５１  ：第１の壁部
５２  ：第２の壁部
５３  ：第３の壁部
５４  ：出入口部
【図１】
2018003480.tif 000003
【図２】
2018003480.tif 000004
【図３】
2018003480.tif 000005
【図４】
2018003480.tif 000006
【図５】
2018003480.tif 000007
【図６】
2018003480.tif 000008
【図７】
2018003480.tif 000009
【図８】
2018003480.tif 000010
【図９】
2018003480.tif 000011
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
第１の側壁、前記第１の側壁と対向する第２の側壁、前記第１の側壁の一方の端部と前記第２の側壁の一方の端部とを接続する第３の側壁、および、前記第１の側壁の他方の端部と前記第２の側壁の他方の端部とを接続する第４の側壁を備える浴槽と、
前記第１の側壁と隣接する第１の壁部と、
前記第２の側壁と隣接する洗い場と、
前記第３の側壁と隣接する第２の壁部と、
前記第４の側壁と隣接する第３の壁部と、
前記洗い場のうちの前記第２の側壁と隣接する縁部と反対側の縁部に設置されている出入口部とを備え、
前記洗い場には、複数の排水口が形成されており、
前記複数の排水口は、第１の排水口および第２の排水口を備え、
前記第１の排水口は、前記洗い場のうちの前記第２の側壁寄りかつ前記第２の側壁の一方の端部寄りに形成され、
前記第２の排水口は、前記洗い場のうちの前記第２の側壁寄りかつ前記第２の側壁の他方の端部寄りに形成され、
前記出入口部が設置されている前記洗い場の前記縁部は、前記第２の排水口に近い第１の端部、および、前記第２の排水口から遠い第２の端部を有し、
前記洗い場の表面は、前記第２の端部から前記第２の排水口に向かうほど低くなる勾配と、前記第１の端部から前記第２の排水口に向かうほど低くなる勾配と、を有する
浴室ユニット。
【請求項２】
前記第２の排水口は、前記第１の排水口よりも低い位置に形成されている
請求項１に記載の浴室ユニット。
【請求項３】
第１の側壁、前記第１の側壁と対向する第２の側壁、前記第１の側壁の一方の端部と前記第２の側壁の一方の端部とを接続する第３の側壁、および、前記第１の側壁の他方の端部と前記第２の側壁の他方の端部とを接続する第４の側壁を備える浴槽と、
前記第１の側壁と隣接する第１の壁部と、
前記第２の側壁と隣接する洗い場と、
前記第３の側壁と隣接する第２の壁部と、
前記第４の側壁と隣接する第３の壁部と、
前記洗い場のうちの前記第２の側壁と隣接する縁部と反対側の縁部に設置されている出入口部とを備え、
前記洗い場には、複数の排水口が形成されており、
前記複数の排水口は、第１の排水口および第２の排水口を備え、
前記第１の排水口は、前記洗い場のうちの前記第２の側壁寄りかつ前記第２の側壁の一方の端部寄りに形成され、
前記第２の排水口は、前記洗い場のうちの前記第２の側壁寄りかつ前記第２の側壁の他方の端部寄りに形成され、
前記出入口部が設置されている前記洗い場の前記縁部は、前記第１の排水口に近い第１の端部、および、前記第１の排水口から遠い第２の端部を有し、
前記洗い場の表面は、前記第１の端部から前記第１の排水口に向かうほど低くなる勾配と、前記第２の端部から前記第１の排水口に向かうほど低くなる勾配と、を有する
浴室ユニット。
【請求項４】
前記第２の排水口は、前記第１の排水口よりも低い位置に形成されている
請求項３に記載の浴室ユニット。
【請求項５】
第１の側壁、前記第１の側壁と対向する第２の側壁、前記第１の側壁の一方の端部と前記第２の側壁の一方の端部とを接続する第３の側壁、および、前記第１の側壁の他方の端部と前記第２の側壁の他方の端部とを接続する第４の側壁を備える浴槽と、
前記第１の側壁と隣接する第１の壁部と、
前記第２の側壁と隣接する洗い場と、
前記第３の側壁と隣接する第２の壁部と、
前記第４の側壁と隣接する第３の壁部と、
前記洗い場のうちの前記第２の側壁と隣接する縁部と反対側の縁部に設置されている出入口部とを備え、
前記洗い場には、複数の排水口が形成されており、
前記複数の排水口は、第１の排水口および第２の排水口を備え、
前記第１の排水口は、前記洗い場のうちの前記第２の側壁寄りかつ前記第２の側壁の一方の端部寄りに形成され、
前記第２の排水口は、前記洗い場のうちの前記第２の側壁寄りかつ前記第２の側壁の他方の端部寄りに形成され、
前記出入口部が設置されている前記洗い場の前記縁部は、前記第２の排水口に近い第１の端部、および、前記第１の排水口に近い第２の端部を有し、
前記洗い場の表面は、前記第２の端部から前記第１の排水口に向かうほど低くなる勾配と、前記洗い場の中心から前記第１の排水口に向かうほど低くなる勾配と、前記第１の端部から前記第２の排水口に向かうほど低くなる勾配と、前記洗い場の中心から前記第２の排水口に向かうほど低くなる勾配と、を有する
浴室ユニット。
【請求項６】
前記第１の排水口は、前記第２の排水口と同じ高さ位置に形成されている
請求項５に記載の浴室ユニット。
【請求項７】
前記第１の側壁および前記第２の側壁は、前記浴槽の平面視における長手方向に沿う
請求項１〜６のいずれか一項に記載の浴室ユニット。
【手続補正２】
【補正対象書類名】明細書
【補正対象項目名】０００５
【補正方法】変更
【補正の内容】
【０００５】
本発明に関する浴室ユニットの一形態は、第１の側壁、前記第１の側壁と対向する第２の側壁、前記第１の側壁の一方の端部と前記第２の側壁の一方の端部とを接続する第３の側壁、および、前記第１の側壁の他方の端部と前記第２の側壁の他方の端部とを接続する第４の側壁を備える浴槽と、前記第１の側壁と隣接する第１の壁部と、前記第２の側壁と隣接する洗い場と、前記第３の側壁と隣接する第２の壁部と、前記第４の側壁と隣接する第３の壁部と、前記洗い場のうちの前記第２の側壁と隣接する縁部と反対側の縁部に設置されている出入口部とを備え、前記洗い場には、複数の排水口が形成されており、前記複数の排水口は、第１の排水口および第２の排水口を備え、前記第１の排水口は、前記洗い場のうちの前記第２の側壁寄りかつ前記第２の側壁の一方の端部寄りに形成され、前記第２の排水口は、前記洗い場のうちの前記第２の側壁寄りかつ前記第２の側壁の他方の端部寄りに形成され、前記出入口部が設置されている前記洗い場の前記縁部は、前記第２の排水口に近い第１の端部、および、前記第２の排水口から遠い第２の端部を有し、前記洗い場の表面は、前記第２の端部から前記第２の排水口に向かうほど低くなる勾配と、前記第１の端部から前記第２の排水口に向かうほど低くなる勾配と、を有する。
本発明に関する浴室ユニットの一形態は、第１の側壁、前記第１の側壁と対向する第２の側壁、前記第１の側壁の一方の端部と前記第２の側壁の一方の端部とを接続する第３の側壁、および、前記第１の側壁の他方の端部と前記第２の側壁の他方の端部とを接続する第４の側壁を備える浴槽と、前記第１の側壁と隣接する第１の壁部と、前記第２の側壁と隣接する洗い場と、前記第３の側壁と隣接する第２の壁部と、前記第４の側壁と隣接する第３の壁部と、前記洗い場のうちの前記第２の側壁と隣接する縁部と反対側の縁部に設置されている出入口部とを備え、前記洗い場には、複数の排水口が形成されており、前記複数の排水口は、第１の排水口および第２の排水口を備え、前記第１の排水口は、前記洗い場のうちの前記第２の側壁寄りかつ前記第２の側壁の一方の端部寄りに形成され、前記第２の排水口は、前記洗い場のうちの前記第２の側壁寄りかつ前記第２の側壁の他方の端部寄りに形成され、前記出入口部が設置されている前記洗い場の前記縁部は、前記第１の排水口に近い第１の端部、および、前記第１の排水口から遠い第２の端部を有し、前記洗い場の表面は、前記第１の端部から前記第１の排水口に向かうほど低くなる勾配と、前記第２の端部から前記第１の排水口に向かうほど低くなる勾配と、を有する。
本発明に関する浴室ユニットの一形態は、第１の側壁、前記第１の側壁と対向する第２の側壁、前記第１の側壁の一方の端部と前記第２の側壁の一方の端部とを接続する第３の側壁、および、前記第１の側壁の他方の端部と前記第２の側壁の他方の端部とを接続する第４の側壁を備える浴槽と、前記第１の側壁と隣接する第１の壁部と、前記第２の側壁と隣接する洗い場と、前記第３の側壁と隣接する第２の壁部と、前記第４の側壁と隣接する第３の壁部と、前記洗い場のうちの前記第２の側壁と隣接する縁部と反対側の縁部に設置されている出入口部とを備え、前記洗い場には、複数の排水口が形成されており、前記複数の排水口は、第１の排水口および第２の排水口を備え、前記第１の排水口は、前記洗い場のうちの前記第２の側壁寄りかつ前記第２の側壁の一方の端部寄りに形成され、前記第２の排水口は、前記洗い場のうちの前記第２の側壁寄りかつ前記第２の側壁の他方の端部寄りに形成され、前記出入口部が設置されている前記洗い場の前記縁部は、前記第２の排水口に近い第１の端部、および、前記第１の排水口に近い第２の端部を有し、前記洗い場の表面は、前記第２の端部から前記第１の排水口に向かうほど低くなる勾配と、前記洗い場の中心から前記第１の排水口に向かうほど低くなる勾配と、前記第１の端部から前記第２の排水口に向かうほど低くなる勾配と、前記洗い場の中心から前記第２の排水口に向かうほど低くなる勾配と、を有する。
【手続補正３】
【補正対象書類名】明細書
【補正対象項目名】００３０
【補正方法】変更
【補正の内容】
【００３０】
洗い場４０の表面は、出入口部５４から複数の排水口４１，４２のうちの１つに向かうほど低くなる勾配を有する。図２の一点鎖線ＲＡ１は、洗い場４０の表面の第１の勾配を示す。図２の一点鎖線ＲＡ２は、洗い場４０の表面の第２の勾配を示す。出入口部５４が設置されている洗い場４０の第２の縁部４０Ｂは、第２の排水口４２に近い第１の端部４０Ｘ、および、第２の排水口４２から遠い第２の端部４０Ｙを有する。第１の勾配は、一点鎖線ＲＡ１に示されるとおり、第２の端部４０Ｙから第２の排水口４２に向かうほど低くなる。第２の勾配は、一点鎖線ＲＡ２に示されるとおり、第２の端部４０Ｙから第２の排水口４２に向かうほど低くなる。第１の勾配は、１／５０以下であることが好ましい。第２の勾配は、１／５０以下であることが好ましい。第２の排水口４２は、第１の排水口４１よりも低い位置に形成されている。